(57)【特許請求の範囲】
【請求項１】
室内機に設置されたダンパ装置が、上記室内機により空気調和されて、複数の各空調ゾーンへ供給される空気の風量バランスを調整可能とする空気調和装置において、
上記複数の空調ゾーン毎に、上記室内機を制御する空調用リモートコントローラが個別に設けられ、各空調用リモートコントローラによって上記室内機の制御と上記ダンパ装置のダンパ設定開度の制御とを実行可能に構成され、
各空調用リモートコントローラは、上記ダンパ装置におけるダンパ設定開度を、上記複数の空調ゾーン毎に、風量バランスを量的に示すレベルメータを用いることで、視覚的に表示する表示部を備え、
上記複数の空調ゾーン毎に個別に設けられた空調用リモートコントローラのうち、最後に操作された空調用リモートコントローラによって上記室内機が制御され、さらに、この空調用リモートコントローラによって上記ダンパ装置が制御されるとともに、この制御に伴って上記表示部におけるダンパ設定開度の表示が変化することを特徴とする空気調和装置。
【請求項２】
上記空調用コントローラには、ダンパ装置のダンパ設定開度を変更可能とするダンパ開度設定キーが設けられたことを特徴とする請求項１に記載の空気調和装置。
【請求項３】
上記空調用リモートコントローラの表示部には、各空調ゾーンに対応したレベルメーターが設けられ、ダンパ設定開度に応じて上記レベルメーターのレベルが増減可能に構成されたことを特徴とする請求項１または２に記載の空気調和装置。
【請求項４】
上記空調用コントローラの表示部におけるレベルメーターでは、ダンパ設定開度が増大した側の空調ゾーンに対応するレベルメーターのレベルが増大し、ダンパ設定開度が減少した側の空調ゾーンに対応するレベルメーターのレベルが減少するよう構成されたことを特徴する請求項１乃至３のいずれかに記載の空気調和装置。
【請求項５】
上記空調用コントローラの表示部には、室内機にダンパ装置が設置されていない場合、ダンパ開度設定キーが操作された時に、上記ダンパ装置のダンパ開度設定機能が動作しない旨が表示されることを特徴とする請求項１乃至４のいずれかに記載の空気調和装置。
【発明の詳細な説明】
【０００１】
【発明の属する技術分野】
本発明は、１台の室内機からダンパ装置及び吹出ダクト等を用いて複数の空調ゾーンへ、空気調和された空気を供給可能とする空気調和装置に係り、特に、室内機とともにダンパ装置も制御する空調用リモートコントローラを備えた空気調和装置に関する。
【０００２】
【従来の技術】
空気調和装置１００には、図３に示すように、建物１０１の例えば小屋裏空間等に設置された１台の室内機１０２から、吹出ダクト１０３を用いて１階の空調ゾーン１０５へ、また、吹出ダクト１０４を用いて２階の空調ゾーン１０６へ、室内機１０２にて空気調和された空気を供給可能とするよう構成されたものがある。このような空気調和装置１００では、室内機１０２と吹出ダクト１０３及び１０４との間にダンパ装置１０７が設置され、このダンパ装置１０７の作用で、空調ゾーン１０５、１０６へ供給される空気の風量バランスが調整される。
【０００３】
これらの空調ゾーン１０５、１０６には、温度センサを内蔵すると共に室内機１０２を制御可能とする空調用リモートコントローラ１０８、１０９がそれぞれ設置されている。これらの空調用リモートコントローラ１０８と空調用リモートコントローラ１０９は、一方が主リモートコントローラであり、他方が従リモートコントローラであって、主リモートコントローラによってのみ室内機１０２が制御される。空調用リモートコントローラ１０８、１０９の主従の切換えは、各リモートコントローラのキーの操作によって実行され、最後にキー操作された空調用リモートコントローラ１０８または１０９が主リモートコントローラとなる。
【０００４】
また、上記ダンパ装置１０７は、空調用リモートコントローラ１０８、１０９による室内機１０２の制御とは独立して、ダクト専用リモートコントローラ１１０により制御される。このダクト用リモートコントローラ１１０は、空調ゾーン１０５または１０６のいずれか一方（本実施の形態では空調ゾーン１０５）に設置されている。なお、図３中の符号１１１は室外機を示す。
【０００５】
【発明が解決しようとする課題】
上記ダンパ専用リモートコントローラ１１０では、ダンパ装置１０７のダンパ設定開度がダイヤルなどによって調整されるものであるため、このダンパ設定開度によって規定される各空調ゾーン１０５、１０６への空気の風量バランスは、必ずしもわかりやすく表示されているとは言えない。
【０００６】
本発明の目的は、上述の事情を考慮してなされたものであり、空調用コントローラが、ダンパ装置におけるダンパ設定開度をわかりやすく表示できる空気調和装置を提供することにある。
【０００７】
【課題を解決するための手段】
請求項１に記載の発明は、室内機に設置されたダンパ装置が、上記室内機により空気調和されて、上記複数の空調ゾーン毎に、上記室内機を制御する空調用リモートコントローラが個別に設けられ、各空調用リモートコントローラによって上記室内機の制御と上記ダンパ装置のダンパ設定開度の制御とを実行可能に構成され、各空調用リモートコントローラは、上記ダンパ装置におけるダンパ設定開度を視覚的に表示する表示部を備え、上記複数の空調ゾーン毎に個別に設けられた空調用リモートコントローラのうち、最後に操作された空調用リモートコントローラによって上記室内機が制御され、さらに、この空調用リモートコントローラによって上記ダンパ装置が制御されるとともに、この制御に伴って上記表示部におけるダンパ設定開度の表示が変化することを特徴とするものである。
【０００８】
請求項２に記載の発明は、請求項１に記載の発明において、上記空調用コントローラには、ダンパ装置のダンパ設定開度を変更可能とするダンパ開度設定キーが設けられたことを特徴とするものである。
【０００９】
請求項３に記載の発明は、請求項１または２に記載の発明において、上記空調用リモートコントローラの表示部には、各空調ゾーンに対応したレベルメーターが設けられ、ダンパ設定開度に応じて上記レベルメーターのレベルが増減可能に構成されたことを特徴とするするものである。
【００１０】
請求項４に記載の発明は、請求項１乃至３のいずれかに記載の発明において、上記空調用コントローラの表示部におけるレベルメーターでは、ダンパ設定開度が増大した側の空調ゾーンに対応するレベルメーターのレベルが増大し、ダンパ設定開度が減少した側の空調ゾーンに対応するレベルメーターのレベルが減少するよう構成されたことを特徴するするものである。
【００１１】
請求項５に記載の発明は、請求項１乃至４のいずれかに記載の発明において、上記空調用コントローラの表示部には、室内機にダンパ装置が設置されていない場合、ダンパ開度設定キーが操作された時に、上記ダンパ装置のダンパ開度設定機能が動作しない旨が表示されることを特徴とするものである。
【００１２】
請求項１乃至５に記載の発明には、次の作用がある。
【００１３】
空調用リモートコントローラには、ダンパ装置のダンパ設定開度が視覚的に表示されるよう構成されたことから、空調用リモートコントローラは、ダンパ装置におけるダンパ設定開度、つまり各空調ゾーンへの空気の風量バランスを使用者にわかりやすく表示できる。
【００１４】
【発明の実施の形態】
以下、本発明の実施の形態を、図面に基づき説明する。
【００１５】
図１は、本発明に係る空気調和装置の一実施の形態を示す構成図である。
【００１６】
この図１に示す空気調和装置１０は、室外機１１が建物１３の外に、室内機１２が建物１３の例えば小屋裏空間１４に、それぞれ１台ずつ設置され、更に、上記室内機１２にダンパ装置１５が連設され、このダンパ装置１５から複数本、例えば２本の吹出ダクト１６及び１７が延設されて構成される。これらの吹出ダクト１６及び１７も小屋裏空間１４に設置される。また、この小屋裏空間１４には、図示しないが、建物１３内の空気を室内機１２へ導く吸込ダクト等が、室内機１２に連設して設置されている。
【００１７】
上記室内機１２は、室内熱交換器１８及びファン１９を備える。室内熱交換器１８は、冷媒配管２０を用いて室外機１１に接続され、この室外機１１から導かれる冷媒の蒸発または凝縮により、室内機１２内に吸い込まれた空気を熱交換して冷却し、または暖める。
【００１８】
上記吹出ダクト１６及び１７は、一端がダンパ装置１５に結合されると共に、他端に吹出グリル２１が取り付けられる。吹出ダクト１６の吹出グリル２１は、建物１３の１階の天井板２２に設置され、吹出ダクト１７の吹出グリル２１は、建物１３の２階の天井板２３に設置される。上記天井板２２は１階の空調ゾーン２４に臨み、上記天井板２３は２階の空調ゾーン２５に臨んで設けられる。
【００１９】
従って、室内機１２のファン１９の回転によって、この室内機１２に建物１３内の空気が吸込ダクト（不図示）等を介して吸い込まれ、室内機１２の室内熱交換器１８により熱交換された空気が、吹出ダクト１６を経て吹出グリル２１から１階の空調ゾーン２４（Ａゾーン）へ吹き出され、また、吹出ダクト１７を経て吹出グリル２１から２階の空調ゾーン２５（Ｂゾーン）へ吹き出される。
【００２０】
前記ダンパ装置１５は、空調ゾーン２４、２５へ供給される、室内機１２にて空気調和された空気の風量バランスを調整するものであり、各吹出ダクト１６、１７に対応して配置されたダンパ板２６、２７と、これらのダンパ板２６及び２７を駆動するダンパモータ２８とを有して構成される。
【００２１】
ダンパモータ２８は、ダンパ板２６及び２７を同時に連動して駆動し、例えば正転時に、ダンパ板２６によるダンパ開度を増大させて、吹出ダクト１６を通って空調ゾーン２４へ供給される空気の風量を増大させると共に、ダンパ板２７によるダンパ開度を減少させて、吹出ダクト１７を通って空調ゾーン２５へ供給される空気の風量を減少させる。また、ダンパモータ２８は、逆転時には、ダンパ板２６によるダンパ開度を減少させて、吹出ダクト１６を通って空調ゾーン２４へ供給される空気の風量を減少させると共に、ダンパ板２７によるダンパ開度を増大させて、吹出ダクト１７を通って空調ゾーン２５へ供給される空気の風量を増大させる。
【００２２】
さて、前記室外機１１及び室内機１２を制御する空調用リモートコントローラ２９、３０は空調ゾーン２４、２５のそれぞれに設置され、内蔵された温度センサ（不図示）によって空調ゾーン２４、２５の温度をそれぞれ検出可能とする。これらの空調用リモートコントローラ２９、３０は、一方が主リモートコントローラとなり、他方が従リモートコントローラとなる主従リモートコントローラであり、主リモートコントローラのみが室外機１１及び室内機１２を制御する。
【００２３】
主リモートコントローラと従リモートコントローラとの切り換えは、各リモートコントローラのキーを操作することによって実行され、最後にキーが操作された空調用リモートコントローラ２９または３０が主リモートコントローラとなる。
【００２４】
室外機１１及び室内機１２は、この主リモートコントローラにより制御される。例えば、室外機１１及び室内機１２は、主リモートコントローラとなった空調用リモートコントローラ２９または３０の、図２に示す運転・停止キー３１の操作によって、運転と停止が制御される。また、室外機１１及び室内機１２は、主リモートコントローラとなった空調用リモートコントローラ２９または３０の温度センサにより検出された温度に基づいて、この主リモートコントローラとなった空調用リモートコントローラ２９または３０の温度設定キー３２により設定された設定温度となるよう制御される。
【００２５】
また、空調用リモートコントローラ２９と空調用リモートコントローラ３０は、主リモートコントローラとなった時に、ダンパ装置１５を制御し得るよう構成されている。
【００２６】
ここで、各空調ゾーン２４、２５へ供給される空気の風量バランスはダンパ装置１５によって調整されるが、空調用リモートコントローラ２９及び３０には、図２に示すように、上記ダンパ装置１５のダンパ設定開度（即ち、ダンパ開度の設定値）を変更可能とする、ダンパ開度設定キーとしての風量バランス設定キー３３及び３４が設置されている。そして、この空調用リモートコントローラ２９及び３０の表示部３５には、ダンパ装置１５のダンパ設定開度を視覚的に表示可能とするレベルメーター３６及び３７が設けられている。
【００２７】
上記風量バランス設定キー３３及びレベルメーター３６は空調ゾーン２４（Ａゾーン）に対応し、また、上記風量バランス設定キー３４及び上記レベルメーター３７は空調ゾーン２５（Ｂゾーン）に対応する。また、レベルメーター３６及び３７は、ダンパ設定開度に応じてそれらの表示レベルが、例えば１０段階の範囲で増減可能に構成されている。
【００２８】
主リモートコントローラとなった空調用リモートコントローラ２９または３０では、風量バランス設定キー３３の押圧操作によって、ダンパ板２６（図１）によるダンパ設定開度が増大されて、空調ゾーン２４への供給空気の風量が増大されると共に、ダンパ板２７（図１）によるダンパ設定開度が減少されて、空調ゾーン２５への供給空気の風量が減少される。従って、空調用リモートコントローラ２９または３０では、風量バランス設定キー３３が押圧操作されることによって、ダンパ設定開度が増大する側の空調ゾーン２４に対応するレベルメーター３６の表示レベルが増大し、ダンパ設定開度が減少する側の空調ゾーン２５に対応するレベルメーター３７の表示レベルが減少する。
【００２９】
また、主リモートコントローラとなった空調用リモートコントローラ２９または３０では、風量バランス設定キー３４の押圧操作によって、ダンパ板２７によるダンパ設定開度が増大されて、空調ゾーン２５への供給空気の風量が増大されると共に、ダンパ板２６によるダンパ設定開度が減少されて、空調ゾーン２４への供給空気の風量が減少される。従って、空調用リモートコントローラ２９または３０では、風量バランス設定キー３４が押圧されることによって、ダンパ設定開度が増大する側の空調ゾーン２５に対応するレベルメーター３７の表示レベルが増大し、ダンパ設定開度が減少する側の空調ゾーン２４に対応するレベルメーター３６の表示レベルが減少する。
【００３０】
空調用リモートコントローラ２９または３０のいずれかが主リモートコントローラとして選択されることによって、この選択された空調用リモートコントローラ２９または３０に設定されて、そのレベルメーター３６及び３７の表示レベルにより表示されているダンパ設定開度に基づき、ダンパ装置１５が制御される。
【００３１】
一方、図１に示す室内機１２にダンパ装置１５が連設されていない場合には、空調用リモートコントローラ２９及び３０の表示部３５における上記レベルメーター３６及び３７が表示されない。この場合には、空調用リモートコントローラ２９及び３０の風量バランス設定キー３３または３４が操作された時に、空調用リモートコントローラ２９及び３０の表示部３５に「この機能はありません」等、ダンパ装置１５のダンパ開度設定機能が動作しない旨が表示される。
【００３２】
以上のように構成されたことから、上記実施の形態によれば、次の効果▲１▼及び▲２▼を奏する。
【００３３】
▲１▼空調用リモートコントローラ２９及び３０の表示部３５には、ダンパ装置１５における空調ゾーン２４側または空調ゾーン２５側のダンパ設定開度が、レベルメーター３６または３７のそれぞれによって視覚的に表示されるよう構成されたことから、空調用リモートコントローラ２９及び３０は、ダンパ装置１５における空調ゾーン２４側または空調ゾーン２５側のダンパ設定開度、つまり各空調ゾーン２４、２５へ供給される空気の風量バランスを使用者にわかりやすく表示できる。
【００３４】
▲２▼選択されて主リモートコントローラとなった空調用リモートコントローラ２９または３０によってのみ室外機１１及び室内機１２が制御されると共に、この主リモートコントローラとなった空調用リモートコントローラ２９または３０によってダンパ装置１５も制御されることから、このダンパ装置１５を制御するダンパ専用リモートコントローラを廃止できるので、コストを低減できる。
【００３５】
以上、本発明を上記実施の形態に基づいて説明したが、本発明はこれに限定されるものではない。
【００３６】
例えば、上記実施の形態では、空調ゾーンが２つの場合（空調ゾーン２４及び２５）を述べたが、空調ゾーン、吹出ダクト及びダンパ装置１５のダンパ板が、互いに対応してそれぞれ３以上あってもよい。
【００３７】
【発明の効果】
本発明に係る空気調和装置によれば、空調用コントローラが、ダンパ装置におけるダンパ設定開度をわかりやすく表示できる。
【図面の簡単な説明】
【図１】本発明に係る空気調和装置の一実施の形態を示す構成図である。
【図２】図１の空調用リモートコントローラを示す正面図である。
【図３】従来の空気調和装置を示す構成図である。
【符号の説明】
１０  空気調和装置
１２  室内機
１５  ダンパ装置
２４、２５  空調ゾーン
２９、３０  空調用リモートコントローラ
３３、３４  風量バランス設定キー（ダンパ開度設定キー）
３５  表示部
３６、３７  レベルメーター
【図１】
0003995480.tif 000002
【図２】
0003995480.tif 000003
【図３】
0003995480.tif 000004